(57)【要約】      （修正有）【課題】スキャン実行中にユーザが視聴希望する番組を選局できるように、スキャンの実行順序をユーザが視聴したい番組から行うよう変更可能とする。【解決手段】周波数チャンネルのスキャン処理を行っている場合に受けたユーザの操作をトリガーとして、スキャン順序を定めているテーブルにおける登録順序を変更する。ユーザが選択したチャンネルに割り当てられたジャンルに基づいて、同一ジャンルが割り当てられた周波数チャンネルをテーブルの上位に配置して、これらのチャンネルが他に優先してスキャンされるようにする。このようにしてスキャン順序をユーザの嗜好するジャンルが先にくるよう変更し、スキャンを行うタイミングでスキャンした最新の周波数チャンネルのリモコンコードと番組内容のＯＳＤ表示を行う。【選択図】図１
2011101194.tif 000002
【特許請求の範囲】
【請求項１】
周波数チャンネルを選択して放送波を受信し、受信波を復調して多重化されたデータストリームを生成する受信手段と、
前記データストリームから、映像データ、音声データ及び前記周波数チャンネルに関する情報であるチャンネル関連情報を分離する分離手段と、
ユーザが操作するリモコンから送信されるリモコンコードを受信するリモコンコード受信手段と、
放送受信装置が使用される地域における各放送波について、少なくともリモコンコードと、周波数チャンネルと、該周波数チャンネルの種別を表す情報とを、放送波ごとに管理するチャンネルテーブルを記憶する記憶手段と、
前記受信手段における前記周波数チャンネルの選択を制御する制御手段と、
を備える放送受信装置であって、
前記制御手段は、第１スキャン処理として、
前記チャンネルテーブルに記憶された放送波を該テーブルの登録順に選択して、選択した放送波について前記受信手段に前記データストリームを生成させ、該データストリームから前記分離手段が分離した前記チャンネル関連情報を利用して、前記記憶手段に、前記受信手段が受信可能な放送波の情報を登録するスキャン結果チャンネルテーブルを記憶させ、
前記制御手段は、第２スキャン処理として、
前記第１スキャン処理又は該第２スキャン処理の実行中に、前記リモコンコード受信手段が前記リモコンコードを受信した場合に、前記チャンネルテーブルにおいて受信リモコンコードと関連づけられた前記種別を表す情報に基づいて、同一の種別を表す情報を有する周波数チャンネルが登録順として上位に配置されるように前記チャンネルテーブルの登録順を変更し、
変更後の前記チャンネルテーブルに記憶された放送波を変更後の登録順に選択して、選択した放送波について前記受信手段に前記データストリームを生成させ、該データストリームから前記分離手段が分離した前記チャンネル関連情報を利用して、前記記憶手段の前記スキャン結果チャンネルテーブルを更新する
ことを特徴とする放送受信装置。
【請求項２】
前記受信手段は、第１の受信手段と第２の受信手段とを含み、
前記分離手段は、第１の分離手段と第２の分離手段とを含み、
前記第１の分離手段は、前記データストリームから分離した映像データを映像表示手段へ、音声データを音声出力手段へ、前記チャンネル関連情報を前記制御手段へ、それぞれ出力し、
前記第２の分離手段は、前記データストリームから分離した前記チャンネル関連情報のみを前記制御手段へ出力し、
前記制御手段は、
前記第１スキャン処理を、前記２の受信手段と前記第２の分離手段とを用いて実行し、
前記第２スキャン処理を前記第２の受信手段と前記第２の分離手段とを用いて実行している間に、前記受信リモコンコードに対応する周波数チャンネルについて、前記第１の受信手段と前記第１の分離手段とを用いて前記映像データ及び前記音声データの出力を行わせる
ことを特徴とする請求項１に記載の放送受信装置。
【請求項３】
前記制御手段は、前記第２スキャン処理において前記第２の分離手段から受信した前記チャンネル関連情報から、前記第１の分離手段が出力する映像データと合成するための合成用データを生成し、
前記放送受信装置は、前記合成用データと、前記第１の分離手段が出力する映像データとを合成する映像合成手段をさらに備え、
前記映像合成手段は、合成後の映像データを前記映像合成手段に出力する
ことを特徴とする請求項２に記載の放送受信装置。
【請求項４】
前記制御手段は、前記スキャン結果チャンネルテーブルが更新された場合に、前記分離手段が分離した前記チャンネル関連情報から、映像表示手段に表示する表示用情報を生成し、該映像表示手段に出力することを特徴とする請求項１に記載の放送受信装置。
【請求項５】
前記種別を表す情報は、対応する周波数チャンネルについて割り当てられたジャンルの情報、または、前記周波数チャンネルの属する周波数帯域であることを特徴とする請求項１乃至４のいずれか１項に記載の放送受信装置。
【請求項６】
前記制御手段は、
前記第２スキャン処理において、
前記チャンネルテーブルにおいて前記受信リモコンコードと関連づけられた前記種別を表す情報の代わりに、前記受信リモコンコードに対応する周波数チャンネルのチャンネル関連情報に含まれる、該周波数チャンネルで放送中の番組の種別を表す情報に基づいて、該番組の種別と同一の前記種別を表す情報を有する周波数チャンネルが登録順として上位に配置されるように前記チャンネルテーブルの登録順を変更する
ことを特徴とする請求項２または３に記載の放送受信装置。
【請求項７】
周波数チャンネルを選択して放送波を受信し、受信波を復調して多重化されたデータストリームを生成する受信手段と、
前記データストリームから、映像データ、音声データ及び前記周波数チャンネルに関する情報であるチャンネル関連情報を分離する分離手段と、
ユーザが操作するリモコンから送信されるリモコンコードを受信するリモコンコード受信手段と、
放送受信装置が使用される地域における各放送波について、少なくともリモコンコードと、周波数チャンネルと、該周波数チャンネルの種別を表す情報とを、放送波ごとに管理するチャンネルテーブルを記憶する記憶手段と、
前記受信手段における前記周波数チャンネルの選択を制御する制御手段と、
を備える放送受信装置の制御方法であって、
前記制御手段が、
第１スキャン処理として、
前記チャンネルテーブルに記憶された放送波を該テーブルの登録順に選択して、選択した放送波について前記受信手段に前記データストリームを生成させ、該データストリームから前記分離手段が分離した前記チャンネル関連情報を利用して、前記記憶手段に、前記受信手段が受信可能な放送波の情報を登録するスキャン結果チャンネルテーブルを記憶させる工程と、
第２スキャン処理として、
前記第１スキャン処理又は該第２スキャン処理の実行中に、前記リモコンコード受信手段が前記リモコンコードを受信した場合に、前記チャンネルテーブルにおいて受信リモコンコードと関連づけられた前記種別を表す情報に基づいて、同一の種別を表す情報を有する周波数チャンネルが登録順として上位に配置されるように前記チャンネルテーブルの登録順を変更する工程と、
変更後の前記チャンネルテーブルに記憶された放送波を変更後の登録順に選択して、選択した放送波について前記受信手段に前記データストリームを生成させ、該データストリームから前記分離手段が分離した前記チャンネル関連情報を利用して、前記記憶手段の前記スキャン結果チャンネルテーブルを更新する工程と
を備えることを特徴とする放送受信装置の制御方法。
【発明の詳細な説明】
【技術分野】
【０００１】
本発明は、放送受信装置及びその制御方法に関する。
【背景技術】
【０００２】
デジタル放送波の受信が可能な放送受信装置では、選局操作や放送視聴を行う前に初期スキャンを行う必要がある。初期スキャンを行うことによって、デジタル放送波の受信が可能なチャンネルを検出して、検出したチャンネルのチャンネル番号等を、チャンネルテーブルに記憶させて設定するようになっている。この設定プロセスを通じて、国、地域に応じたリモコンコードと放送局が対応するようになる。
【０００３】
しかしながら、放送受信装置では、全てのチャンネルに対してスキャンが終了するまで選局を行うことができない。よってユーザは初期スキャン処理が終了するまでの間、長時間待つことになる。そこで、初期スキャン最中でもスキャンが終了している放送局の番組視聴ができる構成（特許文献１を参照）が提案されている。この提案構成によれば、初期スキャン実行中であっても、スキャン終了済の放送局については、選局をして番組視聴を行うことができる。
【先行技術文献】
【特許文献】
【０００４】
【特許文献１】特開2007-288498号公報
【発明の概要】
【発明が解決しようとする課題】
【０００５】
しかしながら上記の提案構成でも、スキャンが未完了の放送局を選局するためには、スキャンが完了するまで待たなければらない。よって、ユーザが視聴を希望する放送局のスキャン順序が後の方だった場合、結局スキャン終了まで希望する放送局の番組は視聴できない。また、スキャンの実行順序は固定的であって、ユーザの視聴したい放送局からスキャンを行うことはできない。
【０００６】
そこで本発明は、スキャン実行中にユーザが視聴希望する番組を選局できるように、スキャンの実行順序をユーザが視聴したい番組から行うよう変更することを可能とすることを目的とする。
【課題を解決するための手段】
【０００７】
上記課題を解決する本発明は、放送受信装置であって、
周波数チャンネルを選択して放送波を受信し、受信波を復調して多重化されたデータストリームを生成する受信手段と、
前記データストリームから、映像データ、音声データ及び前記周波数チャンネルに関する情報であるチャンネル関連情報を分離する分離手段と、
ユーザが操作するリモコンから送信されるリモコンコードを受信するリモコンコード受信手段と、
放送受信装置が使用される地域における各放送波について、少なくともリモコンコードと、周波数チャンネルと、該周波数チャンネルの種別を表す情報とを、放送波ごとに管理するチャンネルテーブルを記憶する記憶手段と、
前記受信手段における前記周波数チャンネルの選択を制御する制御手段と、
を備え、
前記制御手段は、第１スキャン処理として、
前記チャンネルテーブルに記憶された放送波を該テーブルの登録順に選択して、選択した放送波について前記受信手段に前記データストリームを生成させ、該データストリームから前記分離手段が分離した前記チャンネル関連情報を利用して、前記記憶手段に、前記受信手段が受信可能な放送波の情報を登録するスキャン結果チャンネルテーブルを記憶させ、
前記制御手段は、第２スキャン処理として、
前記第１スキャン処理又は該第２スキャン処理の実行中に、前記リモコンコード受信手段が前記リモコンコードを受信した場合に、前記チャンネルテーブルにおいて受信リモコンコードと関連づけられた前記種別を表す情報に基づいて、同一の種別を表す情報を有する周波数チャンネルが登録順として上位に配置されるように前記チャンネルテーブルの登録順を変更し、
変更後の前記チャンネルテーブルに記憶された放送波を変更後の登録順に選択して、選択した放送波について前記受信手段に前記データストリームを生成させ、該データストリームから前記分離手段が分離した前記チャンネル関連情報を利用して、前記記憶手段の前記スキャン結果チャンネルテーブルを更新する。
【発明の効果】
【０００８】
本発明では、スキャン順序を動的に変更することができるので、ユーザは初期スキャン時において自分の視聴したい放送局の番組を優先的にスキャンさせて、視聴を開始することができる。
【図面の簡単な説明】
【０００９】
【図１】実施形態のデジタルテレビ放送受信装置の構成例を示すブロック図。
【図２】実施形態の第１スキャン処理の一例を示すフローチャート。
【図３】実施形態の第２スキャン処理の一例を示すフローチャート。
【図４】実施形態の地域別初期チャンネルテーブルの構成例を示す図。
【図５】実施形態の地域用チャンネルテーブルの構成例を示す図。
【図６】実施形態の画面表示例を示す図。
【図７】実施形態のスキャン順序変更処理の一例を示すフローチャート。
【図８】実施形態の地域別初期チャンネルテーブルの構成例を示す図。
【図９】実施形態の地域用チャンネルテーブルの構成例を示す図。
【発明を実施するための形態】
【００１０】
添付図面を参照して発明の実施形態について説明する。
【００１１】
［実施形態１］
まず、実施形態１について、放送受信装置としてＴＶ放送受信装置を例に挙げて、以下に具体的に説明する。
【００１２】
図１は、本発明の第１の実施形態に係るシステム構成の概略図である。ＴＶ放送受信装置１００は、チューナ部１０２、デコード部１０５、映像合成部１０８、オンスクリーンディスプレイ（ＯＳＤ）生成部１０９、バス１１０、リモコンコード受信部１１１、記憶部１１２、制御部１１５を有する。また、音声出力部１２２、及び映像表示部１２３を備えることができるが、これらはＴＶ放送受信装置に内蔵されていてもよいし、外付けであってもよい。
【００１３】
アンテナ１０１は、デジタル放送波を受信するアンテナ装置であり、チューナ部１０２と接続されている。
【００１４】
チューナ部１０２は、第１チューナ部１０３と第２チューナ部１０４とを備える。第１チューナ部１０３は、第１の受信部として機能し、初期スキャン時は第２スキャン部１１７からの選局指示に応じて、デジタル放送波を受信し、受信波に復調処理を施す。更に、復調後のデータから、映像や音声などを多重化したデータストリーム（トランスポートストリームデータ、以下、「ＴＳデータ」という）を再生成し、第１デコード部１０６へ出力する。ＴＳデータには、映像データ、音声データ、PSI/SI（Program Specific Information / Service Information）データ等が含まれる。PSI/SIデータとはARIB（Association of Radio Industries and Broadcast）で規定されるチャンネルに関連する様々な情報を含むチャンネル関連情報である。PSIには、番組一覧を格納するPAT(Program Association Table)や番組に含まれる画像や音声のパケット識別子（PID）を格納するPMT(Progmra Map Table)が含まれる。また、限定受信をサポートする情報としてCAT(Conditional Access Table)が含まれる。また、SIには以下の情報が含まれる。NIT(Network Information Table)は、チャンネル番号や変調方式など、送信するネットワークに関する情報を含む。BIT(Broadcaster Information Table)は、放送局識別情報（ＢＳＤ）や系列情報（地上Ｄ）など、放送局のＳＩ送信情報を含む。SDT(Service Description Table)は、チャンネルの名称を含む。EIT(Event Infomation Table)は、番組の名称、放送日時、放送内容といった、番組特定情報と番組配列情報等の番組に関する情報を含む。
【００１５】
第２チューナ部１０４は、第２の受信部として機能し、第１スキャン部１１６または第２スキャン部１１７からの制御に応じて、デジタル放送波を受信し、受信波の復調処理を行う。更に、復調後のデータから、映像や音声などを多重化したデータストリームとしてのＴＳデータを再生成し、第２デコード部１０７へ出力する。
【００１６】
デコード部１０５は、第１デコード部１０６と第２デコード部１０７とを備える。第１デコード部１０６は、第１の分離部として機能し、第１チューナ部１０３からのＴＳデータを、映像データ、音声データ、PSI/SIデータなどに分離し、それぞれデコードを行う。デコード結果のうち、映像データは映像合成部１０８へ、音声データは音声出力部１２２へ、PSI/SIデータは制御部１１５部へそれぞれ出力する。
【００１７】
第２デコード部１０７は、第２の分離部として機能し、第２チューナ部１０４から与えられたＴＳデータから映像データ、音声データ、PSI/SIデータなどに分離し、デコードを行う。デコード結果のPSI/SIデータは、制御部１１５に出力する。
【００１８】
映像合成部１０８は、第１デコード部１０６から与えられた映像データに、ＯＳＤ生成部１０９が生成したＯＳＤ表示データを合成し、映像表示部１２３に出力する。
【００１９】
ＯＳＤ生成部１０９は、ＯＳＤ表示制御部１２０から入力される制御信号に従い、映像表示部１２３に所定のＯＳＤ表示をさせるためのＯＳＤ表示データを生成し、映像合成部１０８に出力する。バス１１０は、各部を接続している。リモコンコード受信部１１１は、ＴＶ放送受信装置１００用のリモコン１２４から出力されるリモコンコードを受信する。その後、受信したリモコンコードをチャンネル選局部１１９へ出力する。
【００２０】
以上のチューナ部１０２、デコード部１０５、リモコンコード受信部１１１、映像合成部１０８、ＯＳＤ生成部１０９は、例えば専用のハードウェア論理回路として構成することができる。或いは、対応するプログラムを、ＣＰＵ、ＲＯＭ及びＲＡＭから構成される処理装置が実行することで実現してもよい。
【００２１】
記憶部１１２は、ハードディスク等の不揮発性の記憶装置であって、地域別初期チャンネルテーブル１１３Ａ、地域用チャンネルテーブル１１３Ｂ、スキャン結果チャンネルテーブル１１４を含む。記憶部１１２は、その他にユーザが初期設定時に入力する放送局所在地（国、地域、ケーブル会社など）の情報を格納する。地域別初期チャンネルテーブル１１３Ａは、例えば放送局所在地情報別に分類された、リモコンコード、放送局名、周波数チャンネル、ジャンルなどを予め記憶するテーブルである。例えば、図４に示すような、国、地域、ケーブル会社、リモコンコード、放送局名、周波数チャンネル、ジャンルを含む地域別初期チャンネルテーブルである。図４は、全世界の国々、或いは主要国を網羅することができる。
【００２２】
なお、本実施形態における「ジャンル」とは、例えば、スポーツ、映画、ニュース、音楽、格闘、バラエティ、総合など、各周波数チャンネルの種別を表す用語である。よって、ジャンルがスポーツであれば、サッカーや野球、バスケットボールなどのスポーツを放送しているチャンネルということであり、専らニュースを放送しているチャンネルのジャンルは、ニュースとなる。
【００２３】
地域用チャンネルテーブル１１３Ｂは、ユーザにより設定された放送局所在地に基づいて、地域別初期チャンネルテーブル１１３Ａから読み出された情報を管理するテーブルである。即ち、ＴＶ放送受信装置１００が使用される地域により、地域別初期チャンネルテーブル１１３Ａの情報が絞り込まれ、地域用チャンネルテーブル１１３Ｂに登録される。例えば、国がアメリカで、地域がサンフランシスコ、ケーブル会社がＳＳＳケーブル会社の場合、図５（ａ）に示すようなリモコンコード、放送局名、周波数チャンネル、ジャンルを含む地域用チャンネルテーブル１１３Ｂとなる。テーブルの登録順は、例えば、周波数チャンネルの小さい順とすることができる。
【００２４】
スキャン結果チャンネルテーブル１１４は、各スキャン処理の結果に基づき、ＴＶ放送受信装置１００が受信可能な周波数チャンネルについてリモコンコード、放送局名、周波数チャンネルを含むチャンネルデータを記憶する。また、PSI/SIデータに含まれるEIT（Event Information Table）より番組情報を記憶する。
【００２５】
制御部１１５は、第１スキャン部１１６、第２スキャン部１１７、スキャン処理変更部１１８、チャンネル選局部１１９、ＯＳＤ表示制御部１２０、及び映像表示制御部１２１といった機能部を備える。制御部１１５は、ＣＰＵ、ＲＯＭ及びＲＡＭ等で構成することができ、制御部１１５が備える各機能部は、ＲＯＭに格納された対応する処理プログラムを、ＲＡＭに読み出してＣＰＵが実行することでそれぞれ実現することが可能である。また、図２、図３及び図７に記載のフローチャートに対応する処理も、対応する処理プログラムをＣＰＵが実行することにより実現されるものである。
【００２６】
第１スキャン部１１６は、リモコンコード受信部１１１から初期スキャン開始信号を受信すると、初期スキャンとして第１スキャン処理を実行する。第１スキャン処理では、第２チューナ部１０４に、全チャンネルのスキャンを周波数チャンネル順に実行させ、各チャンネルに放送局が割り当てられているかどうかを判定する。第２スキャン部１１７は、スキャン処理変更部１１８の指示に従い、実行中のスキャン処理を中断して、新たに第２スキャン処理を実行する。スキャン処理変更部１１８からの指示は、第１スキャン処理及び第２スキャン処理の実行時に、リモコンコード受信部１１１からの選局操作に関わるリモコンコードの受信に応じて行われる。
【００２７】
本実施形態の第２スキャン処理では、まず、地域用チャンネルテーブルのリモコンコードと、取得したリモコンコードを比較して周波数チャンネルを特定する。第２スキャン部１１７は、特定した周波数チャンネルのスキャンを第２チューナ部１０４、第２デコード部１０７に実行させる。次いで、スキャンした周波数チャンネルに割り当てられている放送局ジャンルと同一ジャンルが割り当てられている周波数チャンネルを優先してスキャンするよう地域用チャンネルテーブルのスキャン順番を変更する。その後、第２スキャン部１１７は、変更後のスキャン順番に従い、第２チューナ部１０３と第２デコード部１０７とで全周波数チャンネルのスキャンを行わせる。
【００２８】
チャンネル選局部１１９は、リモコンコード受信部１１１からリモコンコードを取得し、第１スキャン処理及び第２スキャン処理の実行中においては、スキャン処理変更部１１８に出力する。それ以外においては映像表示制御部１２１に出力する。ＯＳＤ表示制御部１２０は、第１スキャン処理、第２スキャン処理実行中においてスキャン結果チャンネルテーブルに記憶されたリモコンコードと番組情報とから合成用データを生成しＯＳＤ生成部１０９に出力する。映像表示制御部１２１は、スキャン終了後、チャンネル選局部１１９から出力されたチャンネル番号に対応する周波数チャンネルの周波数帯域を第１チューナ部１０３に設定し、音声出力部１２２に音声を出力する。また、映像合成部１０８で合成した映像を映像表示部１２３に出力する。
【００２９】
音声出力部１２２は、スピーカなどの音声出力装置を有し、第１デコード部１０６によって分離、デコードされた音声データを出力する。映像表示部１２３は、ＬＣＤやＰＤＰ等の表示デバイスからなる表示装置を有し、映像合成部１０８から入力された合成映像を表示する。
【００３０】
次に本実施形態における第１スキャン部１１６で実施する、第１スキャン処理を図２に示すフローチャートを用いて説明する。第１スキャン処理は、従来から行われている初期スキャン動作と同様である。第１スキャン処理では、Ｓ２０１において第２チューナ部１０４と第２デコード部１０７とにより、地域用チャンネルテーブル１１３Ｂに登録されている全周波数チャンネルをチャンネル順にスキャンする。具体的には、第１スキャン部１１６は、テーブルの登録順に従い小さい周波数チャンネルから順に第２チューナ部１０４へ選局指示を送信することができる。ここでのスキャン対象の周波数チャンネルには、小さい周波数チャンネルから順に、周波数帯ＶＨＦ（Very High Frequency）からＵＨＦ（Ultra High Frequency）、ＣＡＴＶ(CAbleTV)が含まれる。
【００３１】
続くＳ２０２では、第２デコード部１０７から出力されたPSI/SIデータに従い、リモコンコード、放送局名、周波数チャンネル、ジャンル、番組情報により、第１スキャン部１１７がスキャン結果チャンネルテーブル１１４を更新する。Ｓ２０３では、ＯＳＤ表示制御部１２０が、スキャン結果チャンネルテーブル１１４に記憶されたリモコンコードと番組情報とから合成用映像を生成してＯＳＤ生成部１０９に出力し、映像表示部１２３における画面表示を更新する。する。次いで、Ｓ２０４では、第１スキャン部１１６が、地域用チャンネルテーブル１１３Ｂに登録されている全周波数チャンネルの選局指示を終了したか否かを判定する。もし、選局指示を行っていない周波数チャンネルが存在する場合（Ｓ２０４で「ＮＯ」）、Ｓ２０５に移行する。一方、未指示の周波数チャンネルが存在しない場合は（Ｓ２０４で「ＹＥＳ」）、本処理を終了する。Ｓ２０５では、次の周波数チャンネルの選局指示を第１スキャン部１１６へ送信する。
【００３２】
次に実施形態１における第２スキャン部１１７で実施する、第２スキャン処理を図３に示すフローチャートを用いて説明する。まず、Ｓ３０１では、ユーザのリモコン１２４の操作に基づくリモコンコードをリモコンコード受信部１１１が受信したか否かを判定する。受信リモコンコードは、リモコンコード受信部１１１から、チャンネル選局部１１９を介してスキャン処理変更部１１８へ渡されるので、スキャン処理変更部１１８が、チャンネル選局部１１９からリモコンコードを受信したか否かを判定する。もし、リモコンコードを受信した場合（Ｓ３０１で「ＹＥＳ」）Ｓ３０２に移行する。受信しない場合には、監視を継続する。
【００３３】
Ｓ３０２では、スキャン処理変更部１１８は、第１スキャン部１１６又は第２スキャン部１１７とにスキャン処理の中止を指示して、その時点で行われているスキャン処理を中止させる。この場合に中止対象となるスキャン処理は第１スキャン処理と第２スキャン処理との両方である。第２スキャン処理が実行中であっても、別のチャンネルのスキャン処理をユーザが希望する場合があるからである。
【００３４】
次にＳ３０３では、スキャン処理変更部１１８は、受信したリモコンコードが地域用チャンネルテーブル１１３Ｂ内に存在するか否かを判定する。もし、存在する場合は（Ｓ３０３で「ＹＥＳ」）、ステップＳ３０４に移行する。一方、存在しない場合には、Ｓ３１４に移行して、選局不可能なチャンネルである旨をＯＳＤ表示制御部１２０に通知する。ＯＳＤ表示制御部１２０は、当該通知をＯＳＤ生成部１０９に転送し、ＯＳＤ生成部１０９が同通知を映像表示部１２３に表示する。その後、本処理を終了する。
【００３５】
Ｓ３０４では、第２スキャン部１１７は、地域用チャンネルテーブル１１３Ｂに登録されている周波数チャンネルのうち、受信リモコンコードに対応する周波数チャンネルの選局指示を第２チューナ部１０４に送信する。これにより、第２チューナ部１０４と第２デコード部１０７とでスキャン処理を実行させ、放送波が存在するか否かを判定する。もし、放送波が存在する場合（Ｓ３０４において「ＹＥＳ」）、Ｓ３０５に移行する。放送波が存在しない場合（Ｓ３０４において「ＮＯ」）、Ｓ３１４に移行する。
【００３６】
Ｓ３０５では、当該周波数チャンネルの選局指示を第１チューナ部１０３に送信して、スキャン処理を実行させる。この結果、第１デコード部１０６でデコードされた音声データと映像データとがそれぞれ音声出力部１２２と映像表示部１２３に出力される。また、PSI/SIデータを第２スキャン部１１７に送信する。このとき、ＯＳＤ表示制御部１２０から表示用の情報がＯＳＤ生成部１０９に提供され、デコードされた映像データと映像合成部１０８で合成される。具体的には例えば、図６（ａ）のようにユーザに「初期スキャン中」と文字列と該当チャンネル（ここでは「１００」）の表示を行いながら、画面上に映像が出力される。なお、第２スキャン部１１７は、第１デコード部１０６から送信されるPSI/SIデータから、当該周波数チャンネルに割り当てられているジャンルの情報を保持しておく。
【００３７】
続くＳ３０６では、スキャン処理変更部１１８が、Ｓ３０４で第２デコード部１０７から送信されたＴＳデータに基づき、地域用チャンネルテーブル１１３Ｂの登録内容の順序を変更する。ここでの処理の詳細は、図７（ａ）のフローチャートを参照して後述する。次に、Ｓ３０７に移行して、第２スキャン部１１７は、選択している周波数チャンネルが、スキャン結果チャンネルテーブル１１４に登録されているかにより、該周波数チャンネルがスキャン済であるか否かを判定する。もし、スキャン済の場合（Ｓ３０７で「ＮＯ」）、Ｓ３１２に移行する。一方、スキャン済でない場合（Ｓ３０７で「ＹＥＳ」）、Ｓ３０８に移行して、選択している周波数チャンネルの選局指示を第２チューナ部１０４に送信して、スキャン処理を行わせる。次いで、Ｓ３０９では、第２デコード部１０７から送信されるPSI/SIデータに基づいて、スキャン結果チャンネルテーブル１１４を更新する。次に、Ｓ３１０では受信したPSI/SIデータに基づいて、スキャンした周波数チャンネルのジャンルが、Ｓ３０５で選局した周波数チャンネルに割り当てられているジャンルと同一であるか否かを判定する。もし同一ジャンルである場合（Ｓ３１０で「ＹＥＳ」）、Ｓ３１１に移行する。一方、ジャンルが異なる場合（Ｓ３１０で「ＮＯ」）、Ｓ３１２に移行する。
【００３８】
Ｓ３１１では、第２スキャン部１１７は、ＯＳＤ表示制御部１２０にジャンルが同一の旨を通知する。ＯＳＤ表示制御部１２０は、スキャン結果チャンネルテーブル１１４に記憶されたリモコンコードと番組情報とを利用して合成用データを生成しＯＳＤ生成部１０９へ送信する。ＯＳＤ生成部１０９は、合成用データから合成用映像を生成して、映像合成部１０８により合成後の映像を表示する。このときの表示例は、図６（ｂ）に示す通りである。ここでは、チャンネルとして、１０３、１２０、１４８、１５０が追加表示され、更にチャンネルでの放送番組の内容が表示されている。
【００３９】
次に、Ｓ３１２では、地域用チャンネルテーブル１１３Ｂに登録された全ての周波数チャンネルについてスキャンが終了したかどうかを判定する。もし、未処理の周波数チャンネルがあれば（Ｓ３１２で「ＮＯ」）、Ｓ３１３に移行する。一方、未処理の周波数チャンネルが無ければ、本処理を終了する。Ｓ３１３では、次に選択すべき周波数チャンネルを、地域用チャンネルテーブル１１３Ｂから選択して、Ｓ３０７に移行する。
【００４０】
次にＳ３０６におけるスキャン順序変更処理について図７（ａ）のフローチャートを用いて説明する。スキャン順序変更処理では、Ｓ７０１において、Ｓ３０１で受信したリモコンコードと関連づけられた放送局ジャンルを、地域用チャンネルテーブル１１３Ｂから取得する。次に、Ｓ７０２では地域用チャンネルテーブル１１３Ｂにおいて、取得した放送局ジャンルと同一のジャンルが割り当てられた周波数チャンネルがテーブルの上位に位置するように、登録順序を変更する。同一ジャンル内では、周波数の小さい順に並べてもよい他、所定の基準に従って順序を決定することができる。また、異なるジャンルが割り当てられている周波数チャンネルについては、周波数の小さい順に並べてもよいし、同一ジャンル毎のグループとして所定順序で並べてもよい。いずれにしても、ユーザが選択したチャンネルと同一のジャンルを有するチャンネルが優先的にスキャンされるように登録順序が変更されれば、本発明の目的は達成される。
【００４１】
本処理により得られた、登録順序が変更された地域用チャンネルテーブル１１３Ｂの例は、図５（ｂ）に示す通りである。ここでは、「スポーツ」のジャンルが割り当てられた周波数チャンネルがテーブルの上位に配置されている。なお、ユーザにより選択されたリモコンコードに対応する周波数チャンネルが最も上に位置している。
【００４２】
なお、スキャン結果チャンネルテーブル１１４も、図５（ｂ）に示すようにリモコンコード、放送局名、周波数チャンネル、ジャンルの他、スキャン処理時点で放送している番組のジャンル情報を含むことができる。即ち、スキャン結果チャンネルテーブル１１４は、地域用チャンネルテーブル１１３Ｂからの情報と、第２デコード部１０７から得られたPSI/SIデータとの両方の情報に基づいて作成することができる。
【００４３】
本実施形態では、スキャン処理の途中でスキャン停止のリモコン操作をリモコンコード受信部１１１を介して第２スキャン部１１７が受信した場合、第２スキャン部１１７は第１チューナ部及び第１デコード部１０６にスキャンの停止指示を出す。その後、ユーザは、スキャンが終了したチャンネルの視聴を開始することができる。
【００４４】
以上のように実施形態１では、周波数チャンネルのスキャン処理を行っている場合に受けたユーザの操作をトリガーとして、スキャン順序を定めているテーブルにおける登録順序を変更できる。具体的には、ユーザが選択したチャンネルに割り当てられたジャンルに基づいて、同一ジャンルが割り当てられた周波数チャンネルをテーブルの上位に配置して、これらのチャンネルが他に優先してスキャンされるようにする。このようにしてスキャン順序をユーザの嗜好するジャンルが先にくるよう変更し、スキャンを行うタイミングでスキャンした最新の周波数チャンネルのリモコンコードと番組内容のＯＳＤ表示を行う。このようにして、ユーザの視聴したい番組からスキャンを実行し、スキャン結果を提示できるので、初期スキャン時においてもユーザは希望する番組から視聴開始できる。
【００４５】
［実施形態２］
次に実施形態２を説明する。上述の実施形態１では、地域用チャンネルテーブル１１３Ｂにおいて各周波数チャンネルに割り当てられていたジャンルの情報を用いて、スキャン順序を変更した。これに対し本実施形態では、スキャンした周波数チャンネル上で放送されている番組の番組情報に含まれるジャンルに基づき、同一ジャンルを有する周波数チャンネルを優先的にスキャンするように、スキャン順序を変更する。
【００４６】
本実施形態における放送受信装置の構成や第１スキャン処理及び第２スキャン処理の流れは図１乃至図３に示したものと同様である。但し、図３のＳ３０６におけるスキャン順序変更処理は、図７（ｂ）に示すフローチャートに従って実行される。
【００４７】
図７（ｂ）において、まず、Ｓ７１１では、図３のＳ３０５の選局処理で、第１デコード部１０６によるデコード結果から得られたPSI/SIデータに含まれるＥＩＴから、当該周波数チャンネルで放送されている番組の番組情報を取得する。この番組情報に基づき、放送中の番組のジャンルを特定する。次に、Ｓ７１２では、地域用チャンネルテーブル１１３Ｂにおいて、上記特定したジャンルと同一の放送局ジャンルが割り当てられている周波数チャンネルがスキャン順の上位に来るように、テーブルをソートする。
【００４８】
このようなスキャン順序の変更によれば、ユーザの選局した放送局が特定のジャンルに属さない総合系のチャンネルだった場合に有効である。総合系のチャンネルは、ニュース、音楽、映画やスポーツなどの様々なジャンルの番組を放送するので、チャンネルのジャンルでは、優先的にスキャンすべき他のチャンネルを絞り込めないからである。このようにして、本実施形態では、ユーザが視聴したい番組からスキャンを実行し、更には当該番組に関連するチャンネルを優先的にスキャンできるので、初期スキャン時においてもユーザは希望する番組から視聴を開始できる。
［実施形態３］
次に実施形態３を説明する。実施形態１及び２では、ユーザが選択したチャンネルに基づき、周波数チャンネル種別や番組種別としてジャンル情報を用いて、スキャン順序を変更した。これに対して本実施形態では、周波数チャンネルの種別として、ユーザが選択したチャンネルが属する周波数帯域を利用し、スキャン順序を変更することを特徴とする。
【００４９】
本実施形態における放送受信装置の構成や第１スキャン処理及び第２スキャン処理の流れは図１乃至図３に示したものと基本的に同様である。但し、図３のＳ３０６におけるスキャン順序変更処理は、図７（ｃ）に示すフローチャートに従って実行される。また、本実施形態では、図３におけるＳ３１０の処理をスキップする。
【００５０】
本実施形態では、地域別初期チャンネルテーブル１１３Ａを図８に示すように構成することができる。ここでは、図４のテーブルにも含まれていた国、地域、ケーブル会社、リモコンコード、放送局名、周波数チャンネルの他、周波数帯域が含まれる。ここで周波数帯域には、例えば、ＵＨＦ、ＶＨＦ、ＣＡＴＶなどの帯域が含まれる。地域用チャンネルテーブル１１３Ｂは、ユーザ設定に基づく放送局所在地の地域用のテーブルとなる。例えば、国がアメリカで、地域がサンフランシスコ、ケーブル会社がＳＳＳケーブル会社の場合、図９（ａ）に示すような、リモコンコード、放送局名、周波数チャンネル、周波数帯域を含むテーブルとなる。
【００５１】
ここで、本実施形態のスキャン順序変更処理について図７（ｃ）を参照して説明する。まず、Ｓ７２１では、ユーザのリモコン操作に基づいて受信したリモコンコードと一致するリモコンコードＩＤを地域用チャンネルテーブル１１３Ｂの中から選択し、それと対応する周波数帯域を特定する。次にＳ７２２では、特定した周波数帯域と同一の周波数帯域に属する周波数チャンネルが上位になるように、地域用チャンネルテーブル１１３Ｂをソートする。該特定の周波数帯域に属する周波数チャンネルについては、周波数の小さい順に並べてもよい他、所定の基準に従って順序を決定することができる。また、他の周波数帯域に属する周波数チャンネルは、周波数帯域の小さい方から順に並べてもよいし、その他任意の方法で順位を決定することができる。
【００５２】
このようにしてスキャン順序が変更された後の地域用チャンネルテーブル１１３Ｂの例は図９（ｂ）に示すようになる。ここでは、リモコンコードが１３１で、ＣＡＴＶが周波数帯域として割り当てられていた場合の変更例を示している。図９（ｂ）に示すように、周波数帯域がＣＡＴＶである各チャンネルが上位に配置されており、これらは他のチャンネルに対して優先的にスキャンされることになる。
【００５３】
このようにしてスキャン順序を変更して行われた第２スキャン処理により、本実施形態では、図６（ｃ）に示す表示例のように、チャンネル番号と放送局名とを含むスキャン結果が表示される。
【００５４】
このようなスキャン順序の変更によれば、ユーザの選局した周波数帯域のチャンネルが優先的にスキャン対象となる。従って、日本のようにＶＨＦ帯域の放送局を見るユーザが多い国や、アメリカのようにＣＡＴＶ帯域の放送局を見るユーザが多い国など、各国の特色に合わせてスキャン順序を変更することができる。このようにして、本実施形態では、ユーザが視聴したいチャンネルからスキャンを実行する。更には当該チャンネルの属する周波数帯域のチャンネルを優先的にスキャンできるので、初期スキャン時においてもユーザは希望する番組から視聴を開始できる。
【００５５】
［実施形態４］
次に実施形態４を説明する。上記の実施形態１から実施形態３まではダブルチューナ構成を例に取って説明したが、本実施例においてはシングルチューナ構成の例を説明する。
【００５６】
本実施形態のシステム構成は、基本的には図１の構成と同様であるが、チューナ部１０２及びデコード部１０５は、それぞれ単一のチューナ部、デコード部として構成される。よって、本実施形態では、チューナ部１０２及びデコード部１０５には第１チューナ部１０３及び第１デコード部１０６のみが配置され、第２チューナ部１０４、第２デコード部１０７はシステム構成から省略される。
【００５７】
チューナ部１０２及びデコード部１０３では、それぞれ第１スキャン処理及び第２スキャン処理が行われることとなるが、本実施形態ではシングルチューナ構成となるため、スキャン中の映像データ及び音声データの出力は行われない。その代わりに、スキャンが終了した周波数チャンネルの情報のみが映像表示部１２３から出力される。従って、ＯＳＤ表示制御部１２０は、第１スキャン処理、第２スキャン処理実行中においてスキャン結果チャンネルテーブルに記憶されたリモコンコードと番組情報とから表示用情報を生成しＯＳＤ生成部１０９に出力する。ＯＳＤ生成部１０９は、表示用情報からＯＳＤ表示データを生成して、映像合成部１０８を介して映像表示部１２３に映像出力を行う。このとき、映像合成は行われない。よって、表示例としては図６（ｄ）に示すように、チャンネルの情報のみが表示される。第１デコード部１０６は、第１スキャン部１１６及び第２スキャン部１１７からの指示に従い、スキャン処理の実行中はＴＳデータから分離した映像データ及び音声データを出力せず、PSI/SIデータのみを、制御部１１５に出力する。
【００５８】
また、本実施形態における第１スキャン処理及び第２スキャン処理の流れは図２及び図３に示したものと基本的に同様である。但し、本実施形態はシングルチューナ構成であるために第１スキャン処理及び第２スキャン処理は、全て第１チューナ部１０３と第１デコード部１０６とで実行される。また、図３のＳ３０５における選局処理は省略される。これは、本実施形態では、シングルチューナ構成であるためにスキャン中の映像・音声出力が行われないためである。よって、Ｓ３０４で放送波が存在する場合には、直ちにスキャン順序の変更処理が行われる。スキャン順序の変更処理は、実施形態１乃至３のいずれの方法であってもよい。
【００５９】
なお、本実施形態でも、スキャン処理の途中でスキャン停止のリモコン操作をリモコンコード受信部１１１を介して第２スキャン部が受信した場合、第２スキャン部は第１チューナ部１０３及び第１デコード部１０６にスキャンの停止指示を出す。その後、ユーザは、スキャンが終了したチャンネルの視聴を開始することができる。
【００６０】
以上のように本実施形態では、シングルチューナ構成においても、ユーザ操作をトリガーに、周波数チャンネルのスキャン順序をユーザの嗜好に合わせて変更し、スキャンが終了したチャンネルの情報を表示させることができる。よって、ユーザは自分が視聴希望するチャンネルのスキャンを優先的に行わせることが可能となり、早期に視聴を開始することができる。
【００６１】
なお、以上実施形態では、ユーザが選択したチャンネルと関連するジャンルや周波数帯域に基づいてスキャン順序を変更する場合を説明したが、スキャン順序の変更の基準はこれらの要素に限定されるものではない。選択したチャンネルと関連づけられる情報で有れば、番組出演者など、その他の情報であってもよい。
【００６２】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2011101194.tif 000003
【図２】
2011101194.tif 000004
【図３】
2011101194.tif 000005
【図４】
2011101194.tif 000006
【図５】
2011101194.tif 000007
【図６】
2011101194.tif 000008
【図７】
2011101194.tif 000009
【図８】
2011101194.tif 000010
【図９】
2011101194.tif 000011